(57)【要約】      （修正有）【課題】より携帯性や経済性に優れ，かつ，必要な機能を備えたタブオープナーを提供する。【解決手段】タブオープナー７は，飲料缶の缶蓋板に止着されたプルタブの裏面側に滑り込ませるための略平面状部材８と，略平面状部材８に連結された把持部材９と，を備えている。略平面状部材８の表面には，プルタブの裏面側からプルタブ孔に遊嵌される突起状部材４が形成されている。略平面状部材８の左右両側には，プルタブの裏面側に滑り込ませた際の略平面状部材８の横ずれを防止するための側壁部材５ａ，５ｂをさらに備えている。また，略平面状部材８の先端には，プルタブの止着部の形状と略合致する切り欠き部６をさらに備えている。【選択図】図４
2017007673.tif 000002
【特許請求の範囲】
【請求項１】
缶蓋板に止着されたプルタブの裏面側に滑り込ませるための略平面状部材と，前記略平面状部材に連結された把持部材と，を備え，
前記略平面状部材の表面に，前記プルタブの裏面側からプルタブ孔に遊嵌される突起状部材が形成されていることを特徴とするタブオープナー。
【請求項２】
前記略平面状部材の左右両側に，横ずれを防止するための側壁部材をさらに備えたことを特徴とする請求項１に記載のタブオープナー。
【請求項３】
前記略平面状部材の先端に，前記プルタブの止着部の形状と略合致する切り欠き部をさらに備えたことを特徴とする請求項１又は２に記載のタブオープナー。
【請求項４】
前記突起状部材が，先端から後端に向けて漸次的に高さを増していく構造であることを特徴とする請求項１から３のいずれか１項に記載のタブオープナー。
【発明の詳細な説明】
【技術分野】
【０００１】
本発明は，タブオープナーに関する。さらに詳細に本発明は，飲料缶等のプルタブを開くことを目的としたタブオープナーに関する。
【背景技術】
【０００２】
ジュースやビールなど，飲料缶を開くための構成として，プルタブが用いられている。このプルタブについては，爪を引っ掛けて引っ張ることにより，缶を開口でき，飲むことを可能とするものである。
【０００３】
このプルタブについては，いくつか問題があった。
すなわち，力が弱い高齢者などの場合，爪を引っ掛けてプルタブを引っ張っても，プルタブを引っ張りきれず，結果として，飲料缶を満足に開けられないという問題があった。
また，爪が長い，もしくは着け爪を着用している女性などの場合，そもそも爪を引っ掛けて引っ張る行為自体が，爪を剥いでしまったり，着け爪が剥がれてしまったりする原因となっていた。
【０００４】
そこで，従来，このような問題に鑑みて，プルタブを機械的に開く器具が提案され開発されている（特許文献１）。
【先行技術文献】
【特許文献】
【０００５】
【特許文献１】特開２０１３−２３３９９２号公報
【発明の概要】
【発明が解決しようとする課題】
【０００６】
特許文献１には，ハート鍵形全プルタブオープナーに関する技術が開示されている。かかる技術は，ハート型のハンドルが付随しており，比較的，非力でもプルタブを開くことができる点において優れた技術である。しかるに，比較的大きな器具であることから，携帯性や経済性が必ずしも十分とは言えない。
【０００７】
従来技術に見られるように，タブオープナーに関する技術は散見されるものの，タブオープナーやその使用が，一般的に広がっているとは言えないのが現状である。この理由として，様々な理由が考えられるが，特に携帯性と経済性に問題があり，これらをクリアしたうえで，必要な機能を備えたタブオープナーが必要ではないかと発明者は感じていた。
【０００８】
上記事情を背景として，本発明では，より携帯性や経済性に優れ，かつ，必要な機能を備えたタブオープナーの開発を課題とする。
【課題を解決するための手段】
【０００９】
発明者は，鋭意研究の結果，プルタブには爪を引っ掛けるための孔（プルタブ孔）があることに着目し，缶蓋板に止着されたプルタブの裏面側に略平面状部材を滑り込ませながら，プルタブ孔に突起状部材を遊嵌させることにより，安定的にプルタブを固定し，プルタブを開くことができるタブオープナーの発明を完成させるに至った。
かかるタブオープナーは，比較的強度を有した紙やプラスチック部材などの安価な素材を用いて簡便に作製することができ，また，指先程度の小さなものであるため携帯性にも優れるものである。
【００１０】
本発明に係るタブオープナーは，以下の構成からなる。
本発明の第一の構成は，缶蓋板に止着されたプルタブの裏面側に滑り込ませるための略平面状部材と，前記略平面状部材に連結された把持部材と，を備え，前記略平面状部材の表面に，前記プルタブの裏面側からプルタブ孔に遊嵌される突起状部材が形成されていることを特徴とするタブオープナーである。
【００１１】
本発明の第二の構成は，前記略平面状部材の左右両側に，横ずれを防止するための側壁部材をさらに備えたことを特徴とする第一の構成に記載のタブオープナーである。
本発明の第三の構成は，前記略平面状部材の先端に，前記プルタブの止着部の形状と略合致する切り欠き部をさらに備えたことを特徴とする第一又は第二の構成に記載のタブオープナーである。
本発明の第四の構成は，前記突起状部材が，先端から後端に向けて漸次的に高さを増していく構造であることを特徴とする第一から第三の構成に記載のタブオープナーである。
【発明の効果】
【００１２】
本発明により，従来技術と比較して，携帯性や経済性に優れ，かつ，必要な機能を備えたタブオープナーの提供が可能となった。
【図面の簡単な説明】
【００１３】
【図１】本発明の一実施の形態におけるタブオープナーの構成の一例を示す斜視図
【図２】本発明の一実施の形態におけるタブオープナーの使用状態を示す斜視図
【図３】本発明の一実施の形態におけるタブオープナーの構成部材である突起状部材の一例を示す図（（ａ）は正面図，（ｂ）は側断面図）
【図４】本発明の一実施の形態におけるタブオープナーの構成の他の例（略平面状部材と把持部材を湾曲させた構成）を示す斜視図
【図５】本発明の一実施の形態におけるタブオープナーの構成のさらなる他の例（切り欠き部を設けない構成）を示す斜視図
【図６】本発明の一実施の形態におけるタブオープナーの構成のさらなる他の例（側壁部材を設けない構成）を示す斜視図
【図７】本発明の一実施の形態におけるタブオープナーの構成のさらなる他の例（切り欠き部と側壁部材を設けない構成）を示す斜視図
【図８】本発明の一実施の形態におけるタブオープナーの構成のさらなる他の例（突起状部材を複数備えた構成）を示す斜視図
【図９】本発明の一実施の形態におけるタブオープナーの構成部材である突起状部材の他の例を示す図（（ａ）は正面図，（ｂ）は側断面図）
【発明を実施するための形態】
【００１４】
以下，好適な実施の形態を用いて本発明をさらに具体的に説明する。但し，下記の実施の形態は本発明を具現化した例に過ぎず，本発明はこれに限定されるものではない。
【００１５】
［タブオープナーの概要］
本発明のタブオープナーは，突起状部材を備えた略平面状部材と把持部材を必須の構成要素とする。
これらタブオープナーを構成する部材については，把持部材を持ち上げた際に，プルタブを開口させるための一定の応力がかかって，当該プルタブを開く構成となっている。そのため，構成部材は，一定の剛性を有するとともに，形成可能な素材を用いる必要があるが，これらの性能を有する限り，特に限定されるものではなく，種々の素材を用いることができる。
タブオープナーを構成する素材としては，プラスチックを用いることが好ましい。この好ましい構成によれば，形成がしやすく，かつ，安価にタブオープナーを製造することが可能となり，本発明のタブオープナーの経済性を向上させることができる。
【００１６】
略平面状部材は，後述する突起状部材を備え，缶蓋板に止着されたプルタブの裏面側に滑り込ませるための部材として機能する。略平面状部材は，これらの機能を有する限り，特に限定されるものではなく，種々の構成のものを採用することができる。
略平面状部材は，典型的には，図１０の試作例に示すように，厚さが約１〜２ｍｍ程度，幅が約２ｃｍ程度，奥行きが約２．５ｃｍ程度の若干湾曲した部材とすればよい。
【００１７】
略平面状部材は，その左右両側に側壁部材をさらに備えていることが好ましい。この好ましい構成によれば，缶蓋板に止着されたプルタブの裏面側に略平面状部材を滑り込ませた際の横ずれを防止することができるため，把持部材を持ち上げたときに，確実に，プルタブを開くことが可能となり，本発明のタブオープナーの機能性を向上させることができる。
側壁部材としては，略平面状部材が横にずれることを防止するための一定程度の幅と高さを有していればよく，例えば，図１０の試作例に示すように，幅が約１．５ｃｍ程度，高さが約３ｍｍ程度の部材とすればよい。
【００１８】
平面様部材は，その先端に切り欠き部をさらに備えていることが好ましい。この好ましい構成によれば，平面様部材の先端形状を，缶蓋板とプルタブの止着部に略合致した形状とすることができるので，缶蓋板に止着されたプルタブの裏面側に略平面状部材を滑り込ませ，後述する突起状部材を，後述のようにプルタブの裏面側からプルタブ孔に遊嵌させた際の安定性を向上させることができる。
通常，缶蓋板とプルタブの止着部は，円のような形状をしているため，切り欠き部の形状としては，例えば，図１０の試作例に示すように，略半円状とすればよい。
【００１９】
把持部材は，略平面状部材に連結され，タブオープナーを把持するための部位として機能する。把持部材は，この把持機能を有する限り，特に限定されるものではなく，種々の構成のものを採用することができる。
把持部材は，典型的には，図１０の試作例に示すように，略平面状部材から連なった形で，幅が約１．５ｃｍ程度，長さが約３．０ｃｍ程度の若干湾曲した部材とすればよい。
【００２０】
突起状部材は，略平面状部材の表面に形成され，缶蓋板に止着されたプルタブの裏面側に略平面状部材を滑り込ませた際に，プルタブの裏面側からプルタブ孔に遊びを持った状態で嵌合（遊嵌）する機能を有する。突起状部材は，この機能を有する限り，特に限定されるものではなく，種々の構成のものを採用することができる。
突起状部材は，先端から後端に向けて漸次的に高さを増していく構造であることが好ましい。この好ましい構成によれば，缶蓋板に止着されたプルタブの裏面側に略平面状部材を滑り込ませた際に，プルタブの裏面側からプルタブ孔にスムーズに当該突起状部材を嵌合させることが可能になるとともに，当該突起状部材がプルタブ孔に嵌合した際に，パチッと音が鳴って，嵌合したことの目安となるので，本発明のタブオープナーの機能性を向上させることができる。
突起状部材は，典型的には，図１０の試作例に示すように，数ｍｍ程度の楔形の形状とすればよい。この試作例に示す突起状部材は，略三角錐のような形状となっており，先端から後端に向けて漸次的に高さが増しており，後端面は，略平面状部材に対しほぼ垂直となっている（垂直面）。すなわち，缶蓋板に止着されたプルタブの裏面側に略平面状部材を滑り込ませると，突起状部材を通じてプルタブが徐々に上がっていき，突起状部材の後端面（垂直面）がプルタブ孔の後端縁まで行くと，プルタブが略平面状部材に当たって音を発するような構造となっている。
【００２１】
［実施の形態］
本発明の一実施の形態におけるタブオープナーの構成について，図１から図３を参照しながら説明する。
【００２２】
図１は，本発明の一実施の形態におけるタブオープナーの構成の一例を示す斜視図，図２は，当該タブオープナーの使用状態を示す斜視図，図３は，当該タブオープナーの構成部材である突起状部材の一例を示す図（（ａ）は正面図，（ｂ）は側断面図）である。
【００２３】
図１，図２に示すように，本実施の形態のタブオープナー１は，飲料缶３０の缶蓋板３０ａに止着されたプルタブ３０ｂの裏面側に滑り込ませるための平面状部材２と，平面状部材２に連結された平板状の把持部材３と，を備えている。ここで，平面状部材２の表面には，プルタブ３０ｂの裏面側からプルタブ孔３０ｃに遊嵌される突起状部材４が形成されている。
本実施の形態のタブオープナー１の構成によれば，把持部材３を親指と人差し指で摘んで，缶蓋板３０ａに止着されたプルタブ３０ｂの裏面側に平面状部材２を滑り込ませ（図２の矢印Ａ参照），プルタブ孔３０ｃに突起状部材４を遊嵌させた後，把持部材３を持ち上げることにより（図２の矢印Ｂ参照），プルタブ３０ｂを開口させるための一定の応力がかかって，当該プルタブ３０ｂを開くことができる。
【００２４】
平面状部材２の左右両側には，缶蓋板３０ａに止着されたプルタブ３０ｂの裏面側に滑り込ませた際の当該平面状部材２の横ずれを防止するための側壁部材５ａ，５ｂをさらに備えている。
かかる構成によれば，上記のようにして把持部材３を持ち上げたときに，確実に，プルタブ３０ｂを開くことが可能となり，タブオープナー１の機能性を向上させることができる。
【００２５】
平面状部材２の先端には，プルタブ３０ｂの止着部３０ｄの形状と略合致する切り欠き部６をさらに備えている。
かかる構成によれば，缶蓋板３０ａに止着されたプルタブ３０ｂの裏面側に平面状部材２を滑り込ませ，突起状部材４をプルタブ３０ｂの裏面側からプルタブ孔３０ｃに遊嵌させた際の安定性を向上させることができる。
【００２６】
図１から図３に示すように，突起状部材４は，略三角錐のような形状となっており，先端から後端に向けて漸次的に高さを増しており，後端面は，平面状部材２に対し垂直となっている（垂直面）。
かかる構成によれば，缶蓋板３０ａに止着されたプルタブ３０ｂの裏面側に上記のようにして平面状部材２を滑り込ませた際に，プルタブ３０ｂの裏面側からプルタブ孔３０ｃにスムーズに当該突起状部材４を嵌合させることができる。また，この場合，当該突起状部材４を通じてプルタブ３０ｂが徐々に上がっていき，当該突起状部材４の後端面（垂直面）がプルタブ孔３０ｃの後端縁まで行くと，プルタブ３０ｂが平面状部材２に当たってパチッと音が鳴る。そして，この音が，当該突起状部材４がプルタブ孔３０ｃに嵌合したことの目安となり，タブオープナー１の機能性が向上する。
【００２７】
なお，本実施の形態においては，平面状部材２と，平面状部材２に連結された平板状の把持部材３と，を備えたタブオープナー１を例に挙げて説明したが，本発明のタブオープナーは必ずしもこのような構成に限定されるものではない。
例えば，図４に示すタブオープナー７のように，プルタブの裏面側に滑り込ませるための部材８と把持部材９は，中心線を中心として若干湾曲していてもよい。かかる構成によれば，親指と人差し指で把持部材９を摘んだときのフィット感が良好となる。
【００２８】
また，本実施の形態においては，平面状部材２の先端に切り欠き部６を備えたタブオープナー１を例に挙げて説明したが，本発明のタブオープナーは必ずしもこのような構成に限定されるものではない。
例えば，図５に示すタブオープナー１０のように，平面状部材２の先端縁は直線状に形成されていてもよい。本発明のタブオープナーは，缶蓋板に止着されたプルタブの裏面側に滑り込ませるための略平面状部材と，前記略平面状部材に連結された把持部材と，を備え，前記略平面状部材の表面に，前記プルタブの裏面側からプルタブ孔に遊嵌される突起状部材が形成されていれば，所期の目的を達成することができる。
【００２９】
また，本実施の形態においては，平面状部材２の左右両側に側壁部材５ａ，５ｂを備えたタブオープナー１を例に挙げて説明したが，本発明のタブオープナーは必ずしもこのような構成に限定されるものではない。
例えば，図６に示すタブオープナー１１のように，平面状部材２の左右両側に側壁部材を設けない構成であってもよい。本発明のタブオープナーは，缶蓋板に止着されたプルタブの裏面側に滑り込ませるための略平面状部材と，前記略平面状部材に連結された把持部材と，を備え，前記略平面状部材の表面に，前記プルタブの裏面側からプルタブ孔に遊嵌される突起状部材が形成されていれば，所期の目的を達成することができる。
【００３０】
また，本実施の形態においては，平面状部材２の左右両側に側壁部材５ａ，５ｂを備え，かつ，平面状部材２の先端に切り欠き部６を備えたタブオープナー１を例に挙げて説明したが，本発明のタブオープナーは必ずしもこのような構成に限定されるものではない。
例えば，図７に示すタブオープナー１２のように，平面状部材２の左右両側に側壁部材を設けない構成であって，かつ，平面状部材２の先端縁が直線状に形成されているものであってもよい。本発明のタブオープナーは，缶蓋板に止着されたプルタブの裏面側に滑り込ませるための略平面状部材と，前記略平面状部材に連結された把持部材と，を備え，前記略平面状部材の表面に，前記プルタブの裏面側からプルタブ孔に遊嵌される突起状部材が形成されていれば，所期の目的を達成することができる。
【００３１】
また，本実施の形態においては，平面状部材２の表面に突起状部材４が１つだけ形成されたタブオープナー１を例に挙げて説明したが，本発明のタブオープナーは必ずしもこのような構成に限定されるものではない。
例えば，図８に示すタブオープナー１３のように，平面状部材２の表面に複数の突起状部材４ａ，４ｂが形成されていてもよい。かかる構成によれば，側壁部材を備えていなくても，平面状部材２の横ずれを防止することが可能となる。
【００３２】
また，本実施の形態においては，略三角錐のような形状の突起状部材４を備えたタブオープナー１を例に挙げて説明したが，本発明のタブオープナーは必ずしもこのような構成に限定されるものではない。
例えば，図９に示すような，半回転楕円体を短軸に沿って切断したような形状の突起状部材１４を備えていてもよい。そして，この突起状部材１４においても，先端から後端に向けて漸次的に高さを増しており，後端面は，平面状部材２に対し垂直となっている（垂直面）。従って，図１から図３に示す略三角錐のような形状の突起状部材４と同様の作用効果を奏することができる。
【符号の説明】
【００３３】
１，７，１０，１１  タブオープナー
２，８  平面状部材（略平面状部材）
３，９  把持部材
４，４ａ，４ｂ，１４  突起状部材
５ａ，５ｂ  側壁部材
６  切り欠き部
３０  飲料缶
３０ａ  缶蓋板
３０ｂ  プルタブ
３０ｃ  プルタブ孔
３０ｄ  止着部
【図１】
2017007673.tif 000003
【図２】
2017007673.tif 000004
【図３】
2017007673.tif 000005
【図４】
2017007673.tif 000006
【図５】
2017007673.tif 000007
【図６】
2017007673.tif 000008
【図７】
2017007673.tif 000009
【図８】
2017007673.tif 000010
【図９】
2017007673.tif 000011